(57)【要約】【課題】商用電源の有無を迅速に検出でき、且つ、逆流防止ダイオードや出力コンデンサを削除することができる誘導灯を提供する。【解決手段】誘導灯１は、誘導用のランプ４と、バッテリーと、平常時には商用電源から電力を供給してランプを点灯させ、商用電源からの電力供給が遮断された場合にはバッテリーから電力を供給してランプを点灯させる制御装置とを備えたものであって、制御装置は、商用電源からバッテリーに充電するための充電回路１２と、商用電源を検出するための切替回路１３とを備え、この切替回路が商用電源を検出している場合は、当該商用電源からランプに電力を供給し、充電回路によりバッテリーに充電を行うと共に、切替回路が商用電源を検出していない場合は、バッテリーからランプに電力を供給する。【選択図】図２
2005285422.tif 000002
【特許請求の範囲】
【請求項１】
誘導用のランプと、バッテリーと、平常時には商用電源から電力を供給して前記ランプを点灯させ、前記商用電源からの電力供給が遮断された場合には前記バッテリーから電力を供給して前記ランプを点灯させる制御装置とを備えた誘導灯において、
前記制御装置は、前記商用電源から前記バッテリーに充電するための充電回路と、前記商用電源を検出するための切替回路とを備え、該切替回路が前記商用電源を検出している場合は、当該商用電源から前記ランプに電力を供給し、前記充電回路により前記バッテリーに充電を行うと共に、前記切替回路が前記商用電源を検出していない場合は、前記バッテリーから前記ランプに電力を供給することを特徴とする誘導灯。
【請求項２】
前記商用電源から前記ランプに電力を供給する際、及び、バッテリーから前記ランプに電力を供給する際、共に電力コントロールを可能にすることを特徴とする請求項１の誘導灯。
【発明の詳細な説明】
【技術分野】
【０００１】
本発明は、例えば、ビルの通路や室内に配置されて火災などの非常時にビル内の人間を非常口に誘導するための誘導灯に関するものである。
【背景技術】
【０００２】
従来よりビルの通路や室内には、火災などの非常時に当該ビル内の人間を非常口などに誘導するための誘導灯が取り付けられている（例えば、特許文献１参照）。図６に係る従来（負荷が比較的大きい場合）の誘導灯の電気回路図を示す。商用電源ラインに接続されたスイッチング電源回路１０１の２次側の電源ラインＡ１にはダイオード１０２が接続され、このダイオード１０２の後段の電源ラインＡ１と接地間に２次側出力コンデンサ１０３が接続されている。このコンデンサ１０３の後段の電源ラインＡ１と接地間には抵抗１０６〜１０８、可変抵抗１０９、フォトカプラ１１１で構成された出力電圧設定回路１１２が接続されている。
【０００３】
この出力電圧設定回路１１２の後段の電源ラインＡ１と接地間には、ツェナーダイオード１１３と抵抗１１４の直列回路が接続され、これらツェナーダイオード１１３と抵抗１１４の接続点がＰＮＰ型トランジスタ１１６のベースに接続されている。トランジスタ１１６のエミッタは抵抗１１７を介して電源ラインＡ１に接続され、コレクタはダイオード１１８に接続されている。このダイオード１１８と接地間にバッテリー１１９が接続されている。
【０００４】
このバッテリー１１９の端子は昇圧回路１２１に入力される。トランジスタ１１６のエミッタは更に抵抗１２２を介してＰＮＰ型のトランジスタ１２３のベースが接続され、トランジスタ１２３のエミッタは電源ラインＡ１に接続されている。トランジスタ１２３のコレクタは抵抗１２４、ＬＥＤ１２６を介して接地されている。このトランジスタ１２３のエミッタの接続点より後段の電源ラインＡ１には逆流防止用の逆流防止ダイオード１２７が接続されている。また、昇圧回路１２１の出力は逆流防止ダイオード１２７の後段の電源ラインＡ１に接続され、このダイオード１２７の後段の電源ラインＡ１と接地間に昇圧回路１２１の出力を平滑し、リップルを吸収するための出力コンデンサ１２８が接続されている。そして、上記出力コンデンサ１２８の端子電圧Ｖｏ１に図示しないインバータが接続され、このインバータの出力にこれも図示しない誘導用のランプが接続される。上記昇圧回路１２１は図示しないコントローラによって制御される。
【０００５】
商用電源が印加されており、スイッチング電源回路１０１の２次側に電力が供給されている平常時は、ダイオード１０２にて整流され、コンデンサ１０３にて平滑された電力が出力電圧設定回路１１２に印加される。また、トランジスタ１１６、１２３が導通（ＯＮ）し、抵抗１１７、トランジスタ１１６、ダイオード１１８を介してバッテリー１１９に充電が成されると共に、ＬＥＤ１２６が点灯される。また、コントローラは昇圧回路１２１を不導通（ＯＦＦ）として遮断し、点灯・消灯入力スイッチの状態により、ランプを点灯させたり消灯させたりする。
【０００６】
一方、非常時に商用電源が断たれると、バッテリー１１９には充電されなくなり、ＬＥＤ１２６も消灯される。コントローラは昇圧回路１２１をＯＮし、バッテリー１１９を放電させてその出力電圧を昇圧してインバータに印加し、ランプを点灯させる。昇圧回路１２１の出力電圧は出力コンデンサ１２８により平滑されてインバータに印加されると共に、逆流防止ダイオード１２７によってそれより前段の電源ラインＡ１へ昇圧回路１２１の出力電圧が回り込むことを防止するものであった。
【０００７】
また、従来の誘導灯のもう一つの従来の電気回路図を示す。商用電源ラインに接続されたスイッチング電源回路１５１の２次側の電源ラインＡ１にはダイオード１５２が接続され、このダイオード１５２の後段の電源ラインＡ１と接地間に２次側出力コンデンサ１５３が接続されている。このコンデンサ１５３の後段の電源ラインＡ１と接地間には抵抗１５６〜１５８、可変抵抗１５９、フォトカプラ１６１で構成された出力電圧設定回路１６２が接続されている。
【０００８】
スイッチング電源回路１５１の２次側のもう一つの電源ラインＡ２にはダイオード１６３が接続され、このダイオード１６３の後段の電源ラインＡ２と接地間にもう一つの２次側出力コンデンサ１６４が接続されている。このコンデンサ１６４の後段の電源ラインＡ２と接地間には、ツェナーダイオード１６６と抵抗１６７、１６８の直列回路が接続され、この抵抗１６７と１６８の間の電圧が図示しないコントローラの入力１となる。
【０００９】
このツェナーダイオード１６６の後段の電源ラインＡ２と接地間にはツェナーダイオード１７１と抵抗１７２の直列回路が接続され、これらツェナーダイオード１７１と抵抗１７２の接続点がＰＮＰ型トランジスタ１７３のベースに接続されている。トランジスタ１７３のエミッタは抵抗１７４を介して電源ラインＡ２に接続され、コレクタはダイオード１７６に接続されている。このダイオード１７６と接地間にバッテリー１７７が接続されている。
【００１０】
このバッテリー１７７の端子はＰＮＰ型トランジスタ１７８のエミッタに接続され、トランジスタ１７８のコレクタは電源ラインＡ１に接続されている。そして、このトランジスタ１７８のベースがコントローラの出力１に接続される。トランジスタ１７３のエミッタは更に抵抗１７９を介してＰＮＰ型のトランジスタ１８１のベースが接続され、トランジスタ１８１のエミッタは電源ラインＡ２に接続されている。トランジスタ１８１のコレクタは抵抗１８２、ＬＥＤ１８３を介して接地されている。
【００１１】
一方、出力電圧設定回路１６２とトランジスタ１８１のコレクタの間の電源ラインＡ１には逆流防止用の逆流防止ダイオード１８４が接続されている。また、逆流防止ダイオード１８４及びトランジスタ１８１のコレクタの後段の電源ラインＡ１と接地間に平滑及びリップル吸収用の出力コンデンサ１８６が接続されている。そして、出力コンデンサ１８６の端子電圧Ｖｏ１に図示しないインバータが接続され、このインバータの出力にこれも図示しない誘導用のランプが接続される。
【００１２】
商用電源が印加されており、スイッチング電源回路１５１の２次側に電力が供給されている平常時は、ダイオード１５２にて整流され、コンデンサ１５３にて平滑された電力が出力電圧設定回路１６２に印加される。また、トランジスタ１７３、１８１が導通し、抵抗１７４、トランジスタ１７３、ダイオード１７６を介してバッテリー１７７に充電が成されると共に、ＬＥＤ１８３が点灯される。また、コントローラはトランジスタ１７８を不導通（ＯＦＦ）として遮断し、点灯・消灯入力スイッチの状態により、ランプを点灯させたり消灯させたりする。
【００１３】
一方、非常時に商用電源が断たれると、バッテリー１７７には充電されなくなり、ＬＥＤ１８３も消灯される。コントローラは入力１の電圧が落ちることでそれを検知し、出力１でトランジスタ１７８を導通させ、バッテリー１７７を放電させてその充電電力をインバータに印加し、ランプを点灯させる。バッテリー１７７の出力電圧は出力コンデンサ１８６により平滑されてインバータに印加される。そして、逆流防止ダイオード１８４はバッテリー１７７の出力電圧がそれより前段の回路に回り込むことを防止するものであった。
【特許文献１】特開平８−１８５９８７号公報
【発明の開示】
【発明が解決しようとする課題】
【００１４】
ここで、例えば上記図７の回路で逆流防止ダイオード１８４が無い場合、商用電源が復帰した時点でバッテリー１７７の電圧が高いとき、出力電圧設定回路１６２のフィードバック動作が不十分となってスイッチング電源回路１５１のパルス幅が間欠的又は狭いモードとなってしまい、コンデンサ１６４に十分な電力が供給されずに、端子電圧が上がらず、抵抗１６７、１６８間の電圧も上がらずに入力１で商用電源復帰を検知できなくなる。そのため、従来の回路では逆流防止ダイオード１８４或いは１２７が必要となっていた。また、そのために２次側出力コンデンサ１０３や１５３を出力の平滑やリップルの吸収に利用できなくなり、出力コンデンサ１２８、１８６を接続する必要があった。そして、負荷が重くなるとこれら逆流防止ダイオード１２７、１８４や出力コンデンサ１２８、１８６の容量も大きくしなければならないと云う問題があった。
【００１５】
本発明は、係る従来の技術的課題を解決するために成されたものであり、商用電源の有無を迅速に検出でき、且つ、逆流防止ダイオードや出力コンデンサを削除することができる誘導灯を提供するものである。
【課題を解決するための手段】
【００１６】
本発明の誘導灯は、誘導用のランプと、バッテリーと、平常時には商用電源から電力を供給してランプを点灯させ、商用電源からの電力供給が遮断された場合にはバッテリーから電力を供給してランプを点灯させる制御装置とを備えたものであって、制御装置は、商用電源からバッテリーに充電するための充電回路と、商用電源を検出するための切替回路とを備え、この切替回路が商用電源を検出している場合は、当該商用電源からランプに電力を供給し、充電回路によりバッテリーに充電を行うと共に、切替回路が商用電源を検出していない場合は、バッテリーからランプに電力を供給することを特徴とする。
【００１７】
請求項２の発明の誘導灯は上記において、商用電源からランプに電力を供給する際、及び、バッテリーからランプに電力を供給する際、共に電力コントロールを可能にすることを特徴とする。
【発明の効果】
【００１８】
本発明の誘導灯では、制御装置が商用電源からバッテリーに充電するための充電回路と、商用電源を検出するための切替回路とを備え、この切替回路が商用電源を検出している場合は、当該商用電源からランプに電力を供給し、充電回路によりバッテリーに充電を行うと共に、切替回路が商用電源を検出していない場合は、バッテリーからランプに電力を供給するようにしたので、商用電源の復帰時にバッテリーの出力電圧が電源側に逆流することを防止するための逆流防止ダイオードを設けることなく、商用電源の有無を瞬時に検出してランプへの電力の印加を切り換えることができるようになる。
【００１９】
これにより、従来の逆流防止ダイオードを削除することが可能となる。また、それによって２次側出力コンデンサを平滑やリップル吸収用に用いることができるようになり、従来必要とされていた出力コンデンサも不要となり、部品点数の削減を図ることができるようになる。
【００２０】
また、請求項２の発明の誘導灯では上記に加えて商用電源からランプに電力を供給する際、及び、バッテリーからランプに電力を供給する際、共に電力コントロールを可能にしたので、平常時、非常時ともにランプの調光を行うことができるようになり、利便性が増すものである。
【発明を実施するための最良の形態】
【００２１】
以下、図面に基づき本発明の実施形態を詳述する。
【実施例１】
【００２２】
図１は本発明の一実施例として誘導灯１の外観を示す図、図２は誘導灯１の電気回路のブロック図、図３は図２に示した誘導灯１のブロック図の実際の要部電気回路図を示している。各図において、誘導灯１はビルの通路や室内に複数設置されて火災などの非常時における避難誘導を行うためのものである。
【００２３】
この誘導灯１には図２に示すように冷陰極ランプから成るランプ４と、このランプ４を点灯させるための本発明における制御装置を構成する制御回路６などの電気回路が設けられている。図２において、５は商用電源ＡＣ（ＡＣ１００Ｖ）に接続されたフィルター回路、７はこのフィルター回路５を経た商用電源を整流する整流回路、８はＡＣ／ＤＣ変換回路、９は２次整流回路、１１はインバータ回路であり、このインバータ回路１１に前記ランプ４が接続されている。
【００２４】
ＡＣ／ＤＣ変換回路８の出力は非常用電源である電池を含む充電回路１２に接続され、この充電回路１２には常時充電が行われる。この充電回路１２の出力は切替回路１３を介してインバータ回路１１に接続されている。２次整流回路９及び切替回路１３の出力点はフィルター回路１９を介して制御回路６に接続されている。この制御回路６はマイクロコンピュータ（ＣＰＵ）から構成され、インバータ回路１１のＯＮ／ＯＦＦ、商用電源ＡＣの電圧有無検出、ＤＣ電圧検出、ランプ接続有無検出、ランプ寿命、切替制御、タイマー通信、デューティー制御、電池過放電防止、暗黒始動対応の各機能を実行するものである。
【００２５】
１４はテストスイッチであり、制御回路１６を介してＡＣ／ＤＣ変換回路８の出力に接続されている。この制御回路１６もマイクロコンピュータから構成され、ＰＷＭ制御、ＡＣ切替動作、テストスイッチ１４による制御、過電流保護、過電圧保護の各機能を実行する。尚、１７は消灯回路であり、商用電源ＡＣに接続された点灯・消灯入力スイッチ１８とフィルター回路５の出力間に接続されている。
【００２６】
次に、図３の電気回路において、商用電源ラインに接続されたスイッチング電源回路２１の２次側の電源ラインＡ１にはダイオード２２が接続され、このダイオード２２の後段の電源ラインＡ１と接地間に２次側出力コンデンサ２３が接続されている。スイッチング電源回路２１のもう一つの電源ラインＡ２にはダイオード２４が接続され、このダイオード２４の後段の電源ラインＡ２と接地間にはもう一つの２次側出力コンデンサ２６（コンデンサ２３よりも十分容量が小さい）が接続されている。そして、この２次側出力コンデンサ２６の後段の電源ラインＡ２と接地間には抵抗２７〜２９、可変抵抗３１、フォトカプラ３２で構成された出力電圧設定回路３３が接続されている。
【００２７】
ダイオード２４の後段の電源ラインＡ２と接地間には抵抗３６、３７の直列回路が接続され、この抵抗３６の端子電圧がＶｏ２となると共に、抵抗３６と３７間の電圧がＮＰＮ型のトランジスタ３８のベースに接続されている。トランジスタ３８のコレクタは抵抗３９、ツェナーダイオード４１を介して電源ラインＡ１に接続され、エミッタは接地されている。抵抗３９とツェナーダイオード４１の接続点はＰＮＰ型のトランジスタ４２のベースに接続され、トランジスタ４２のエミッタは抵抗４３を介して電源ラインＡ１に接続され、コレクタはダイオード４４に接続されている。このダイオード４４と接地間にバッテリー４６が接続されている。
【００２８】
このバッテリー４６の端子は昇圧回路４７に入力される。トランジスタ４６のエミッタは更に抵抗４８を介してＰＮＰ型のトランジスタ４９のベースが接続され、トランジスタ４９のエミッタは電源ラインＡ１に接続されている。トランジスタ４９のコレクタは抵抗５１、ＬＥＤ５２を介して接地されている。そして、昇圧回路４７の出力Ｖｏ１に前述したインバータ回路１１が接続され、インバータ回路１１に前述した如くランプ４が接続される。上記昇圧回路１２１は制御回路６によって制御される。また、商用電源が印加されているときはＶｏ２は略Ｖｏ１となる。
【００２９】
前記電源ラインＡ２、コンデンサ２６、出力電圧設定回路３３、ダイオード２４、抵抗３６、３７、トランジスタ３８等が図２の切替回路１３に対応し、バッテリー４６、抵抗４３、トランジスタ４２、ダイオード４４等が図２の充電回路１２に対応することになる。
【００３０】
次に、この実施例の誘導灯１の動作を説明する。商用電源（ＡＣ）が印加されており、スイッチング電源回路２１の２次側に電力が供給されている平常時は、ダイオード２２にて整流され、コンデンサ２３にて平滑された電圧がＶｏ１となってインバータ回路１１に印加される。また、ダイオード２４にて整流され、コンデンサ２６にて平滑された電圧が出力電圧設定回路３３に印加されると共に、抵抗３６、３７で分圧されてトランジスタ３８のベースに印加される。
【００３１】
これによって、トランジスタ３８は導通し、トランジスタ４２も導通するので抵抗４３、トランジスタ４２、ダイオード４４を介してバッテリー４６に充電が成される。また、トランジスタ４９も導通するので、抵抗５１を介してＬＥＤ５２に通電され、ＬＥＤ５２が点灯される。また、制御回路６は昇圧回路４７を不導通（ＯＦＦ）として遮断し、且つ、インバータ回路１１をＯＦＦしてランプ４は消灯状態とする。
【００３２】
一方、非常時に商用電源が断たれると、容量の小さい２次側出力コンデンサ２６が瞬時に放電するので、電源ラインＡ２の電圧が無くなり、抵抗３２、３７の分圧電圧も無くなり、トランジスタ３８は不導通（ＯＦＦ）となる。これによって、商用電源が断たれたことを瞬時に検出することになる。トランジスタ３８が不導通となると、トランジスタ４２、４９が不導通となり、バッテリー４６には充電されなくなり、ＬＥＤ５２も消灯される。制御回路６は昇圧回路４７をＯＮし、バッテリー４６を放電させてその出力電圧を昇圧してインバータ回路１１に印加し、ランプ４を点灯させる。昇圧回路４７の出力電圧は２次側出力コンデンサ２３により平滑されてインバータ回路１１に印加されことになる。このときの昇圧回路４７の出力電圧が接続された電源ラインＡ１には切替回路１３は接続されていないので（電源ラインＡ２に接続されている）、回り込みは問題無くなり、従って、従来必要とされていた逆流防止ダイオードは不要となる。
【実施例２】
【００３３】
次に、図４、図５を参照しながら本発明のもう一つの実施例を説明する。図４は図２のブロック図のもう一つの実際の要部電気回路図を示し、図５はこの場合の制御回路６の動作フローチャートを示す。図４の電気回路において、商用電源ラインに接続されたスイッチング電源回路６１の２次側の電源ラインＡ１にはダイオード６２が接続され、このダイオード６２の後段の電源ラインＡ１と接地間に２次側出力コンデンサ６３が接続されている。この２次側出力コンデンサ６３の後段の電源ラインＡ１と接地間には抵抗６６〜６８、可変抵抗６９、フォトカプラ７１で構成された出力電圧設定回路７２が接続されている。
【００３４】
スイッチング電源回路６１のもう一つの電源ラインＡ２にはダイオード７２が接続され、このダイオード７２の後段の電源ラインＡ２と接地間にはもう一つの２次側出力コンデンサ７３が接続されている。電源ラインＡ２には更にダイオード７２と並列にダイオード７４が接続され、ダイオード７４の後段の電源ラインＡ２と接地間には抵抗７６、７７の直列回路が接続されている。この抵抗７６、７７間の電圧が制御回路６の入力１となる。また、ダイオード７４の後段の電源ラインＡ２と接地間には更に２次側出力コンデンサ７８（コンデンサ７３よりも十分容量が小さい）が接続されている。
【００３５】
一方、ダイオード７２の後段の電源ラインＡ２と接地間にはツェナーダイオード７９と抵抗８１の直列回路が接続され、これらツェナーダイオード７９と抵抗８１の接続点がＰＮＰ型トランジスタ８２のベースに接続されている。トランジスタ８２のエミッタは抵抗８３を介して電源ラインＡ２に接続され、コレクタはダイオード８４に接続されている。このダイオード８４と接地間にバッテリー８６が接続されている。
【００３６】
このバッテリー８６の端子はＰＮＰ型トランジスタ８７のエミッタに接続され、トランジスタ８７のコレクタは電源ラインＡ１に接続されている。そして、このトランジスタ８７のベースが制御回路６の出力１に接続される。トランジスタ８２のエミッタは更に抵抗８８を介してＰＮＰ型のトランジスタ８９のベースが接続され、トランジスタ８９のエミッタは電源ラインＡ２に接続されている。トランジスタ８９のコレクタは抵抗９１、ＬＥＤ９２を介して接地されている。そして、電源ラインＡ１がＶｏ１となり、インバータ回路１１が接続され、このインバータ回路１１の出力にランプ４が接続される。
【００３７】
前記電源ラインＡ２、コンデンサ７８、ダイオード７４、抵抗７６、７７、トランジスタ８７等が図２の切替回路１３に対応し、バッテリー８６、抵抗８３、トランジスタ８２、ダイオード８４等が図２の充電回路１２に対応することになる。
【００３８】
次に、図５のフローチャートを参照しながらこの実施例の誘導灯１の動作を説明する。商用電源（ＡＣ）が印加されており、スイッチング電源回路６１の２次側に電力が供給されている平常時は、ダイオード６２にて整流され、コンデンサ６３にて平滑された電力が出力電圧設定回路７２に印加される。また、抵抗７６、７７間にも電圧が発生し、制御回路６は入力１の電圧値に基づいて商用電源有りと判断し、ステップＳ１からステップＳ２に進んで点灯・消灯入力スイッチ１８がＯＮされているか判断する。ＯＮされていればステップＳ３に進んでインバータ回路１１によってランプ４を点灯させる。このとき、可変抵抗６９を可変させてインバータ回路１１に印加される電力をコントロールする。
【００３９】
点灯・消灯入力スイッチ１８がＯＦＦされていればステップＳ６に進み、ランプ４を消灯させる。次に、ステップＳ４で出力１によってトランジスタ８７を不導通とし、ステップＳ５でトランジスタ８２、８９を導通させ、抵抗８３、トランジスタ８２、ダイオード８４を介してバッテリー８６に充電する。また、ＬＥＤ９２も点灯する。
【００４０】
一方、非常時に商用電源が断たれると、容量の小さい２次側出力コンデンサ７８が瞬時に放電するので、抵抗７６、７７間の分圧電圧が無くなり、制御回路６は入力１の電圧が瞬時に低下することで商用電源が断たれたことを瞬時に検出する。制御回路６はこれによりステップＳ１からステップＳ７に進み、出力１によってトランジスタ８７を導通とする（切替回路オン）。
【００４１】
一方、トランジスタ８２、８９は不導通となるのでバッテリー８６には充電されなくなり、ＬＥＤ９２も消灯される。また、制御回路６は上述の如く出力１でトランジスタ８７を導通させ、バッテリー８６を放電させてその充電電力をインバータ回路１１に印加し、ランプ４を点灯させる（ステップＳ８〜９）。バッテリー８６の出力電圧は２次側出力コンデンサ６３により平滑されてインバータ回路１１に印加されことになる。制御回路６はトランジスタ８７のベースをデューティー制御し、インバータ回路１１に印加される電圧を調整してランプ４を調光する。また、このときの昇圧回路４７の出力電圧が接続された電源ラインＡ１には切替回路１３は接続されていないので（電源ラインＡ２に接続されている）、回り込みは問題無くなり、従って、従来必要とされていた逆流防止ダイオードは不要となる。
【図面の簡単な説明】
【００４２】
【図１】本発明の一実施例の誘導灯の外観を示す図である。
【図２】図１の誘導灯の電気回路のブロック図である。
【図３】図２のブロック図要部の実際の電気回路図である（実施例１）。
【図４】図２のブロック図要部の実際の電気回路図である（実施例２）。
【図５】図４の場合の制御回路のフローチャートである。
【図６】従来の誘導灯の要部電気回路図である。
【図７】もう一つの従来の誘導灯の要部電気回路図である。
【符号の説明】
【００４３】
１  誘導灯
４  ランプ
６  制御回路
１２  充電回路
１３  切替回路
４６、８６  バッテリー
【図１】
2005285422.tif 000003
【図２】
2005285422.tif 000004
【図３】
2005285422.tif 000005
【図４】
2005285422.tif 000006
【図５】
2005285422.tif 000007
【図６】
2005285422.tif 000008
【図７】
2005285422.tif 000009